(57)【特許請求の範囲】
【請求項１】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、
前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項２】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、
前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化が可能であるか否かを判定する磁気情報書き換えトラック初期化判定手段と、
前記磁気情報書き換えトラック初期化判定手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項３】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、
前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化が可能であるか否かを判定する磁気情報書き換えトラック初期化判定手段と、
前記磁気情報書き換えトラック初期化判定手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と、
前記磁気情報書き換えトラック初期化判定手段による当該定期券の自動改札機による磁気情報の書き換えトラックの初期化が可能であるか否かの判定結果に基づいて、初期化が不能である場合には、当該定期券の再発行処理を行う定期券再発行処理実行手段と、
前記定期券再発行処理実行手段によって再発行処理が実行された当該定期券を利用者に返却処理する第３の定期券処理手段と
を具備することを特徴とする定期券発行装置。
【請求項４】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定すると共に、その結果を表示する磁気情報書き換えトラック異常判定表示手段と、
前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項５】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定すると共に、その結果を表示する磁気情報書き換えトラック異常判定表示手段と、
前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示手段と、
前記磁気情報書き換えトラック初期化判定表示手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と
を具備することを特徴とする定期券発行装置。
【請求項６】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取る定期券券面情報読み取り手段と、
前記定期券券面情報読み取り手段による定期券の券面情報の読み取り結果に応じて、当該定期券の自動改札機による磁気情報の書き換えトラックに異常があるか否かを判定すると共に、その判定結果を表示する磁気情報書き換えトラック異常判定表示手段と、
前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、
前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示手段と、
前記磁気情報書き換えトラック初期化判定表示手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、
前記磁気情報書き換えトラック初期化実行手段によって自動改札機による磁気情報の書き換えトラックの初期化が実行された当該定期券を利用者に返却処理する第２の定期券処理手段と、
前記磁気情報書き換えトラック初期化判定表示手段による当該定期券の自動改札機による磁気情報の書き換えトラックの初期化が可能であるか否かの判定結果に基づいて、初期化が不能である場合には、当該定期券の再発行処理を行う定期券再発行処理実行手段と、
前記定期券再発行処理実行手段によって再発行処理が実行された当該定期券を利用者に返却処理する第３の定期券処理手段と
を具備することを特徴とする定期券発行装置。
【請求項７】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取るステップと、
前記定期券の券面情報の読み取り結果に応じて、当該定期券の自動改札機による磁気情報の書き換えトラックに異常があるか否かを判定するステップと、
前記磁気情報書き換えトラック異常判定結果に基づいて、磁気情報書き換えトラックに異常がなければ、当該定期券を利用者にそのまま返却処理するステップと、
前記磁気情報書き換えトラック異常判定結果に基づいて、磁気情報書き換えトラックに異常があつた場合には、当該定期券の自動改札機による磁気情報の書き換えトラックの初期化を実行するステップと、
前記自動改札機による磁気情報の書き換えトラックの初期化が実行された当該定期券を利用者に返却処理するステップと
を具備することを特徴とする定期券発行装置の制御方法。
【請求項８】
発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、
前記自動改札機による磁気情報の書き換え不良とされた定期券の券面情報を読み取るステップと、
前記定期券の券面情報の読み取り結果に応じて、当該定期券の自動改札機による磁気情報の書き換えトラックに異常があるか否かを判定するステップと、
前記磁気情報書き換えトラック異常判定結果に基づいて、磁気情報書き換えトラックに異常がなければ、当該定期券を利用者にそのまま返却処理するステップと、
前記磁気情報書き換えトラック異常判定結果に基づいて、磁気情報書き換えトラックに異常があつた場合には、当該定期券の自動改札機による磁気情報の書き換えトラックの初期化が可能であるか否かを判定するステップと、
前記定期券の自動改札機による磁気情報の書き換えトラックの初期化が可能であるか否かの判定結果に基づいて、初期化が可能である場合には、当該定期券の自動改札機による磁気情報の書き換えトラックの初期化を実行するステップと、
前記定期券の自動改札機による磁気情報の書き換えトラックの初期化が実行された当該定期券を利用者に返却処理するステップと
を具備することを特徴とする定期券発行装置の制御方法。
【発明の詳細な説明】
【０００１】
【発明の属する技術分野】
この発明は、たとえば交通機関で用いられる定期券を印刷発行する定期券発行装置及びその制御方法に係り、特に、自動改札機による磁気情報の書き換えが不良とされた定期券のトラブル処理を効率的に行えるようにした定期券発行装置及びその制御方法に関する。
【０００２】
【従来の技術】
近時、定期券（例えば、鉄道、バス等の交通機関で用いられる）を発行する定期券発行装置が実用化されている。
【０００３】
このような定期券発行装置では、発駅、着駅、経由、利用者の氏名、年齢、性別、利用有効期間等の発行条件を入力設定することにより、その発駅、着駅、経由に対応する区間の距離に応じた定期料金を含む券面情報が表面に印刷されると共に、裏面に所定の磁気情報がコーディングにより記録された定期券を発行するようになっている。
【０００４】
この際、定期券発行装置で行う業務には、自社線内を発駅、着駅、経由とする通常の定期券の発行業務だけでなく、自社線内及び他社線内を発駅、着駅、経由とする連絡定期券の発行業務がある。
【０００５】
そして、このような定期券発行装置によって発行された定期券は、その利用者が発駅、着駅に備えられている自動改札機に通すことによって自動改札処理がなされる。
【０００６】
この自動改札機による定期券の自動改札処理の一つとして発駅、着駅及びその利用日時等を確認するために、上述したような磁気情報の書き換えが行われている。
【０００７】
しかるに、定期券によっては、この磁気情報の書き換えが不良となることもある。
【０００８】
このような場合、自動改札機は当該定期券は磁気情報の書き換えが不良となっているので、定期券発行元による再発行処理を受ける必要がある旨を利用者に告知する。
【０００９】
利用者がこの告知にしたがって定期券発行元に出向くと、定期券発行元では定期券発行装置により、当該定期券の再発行処理を行うようにしている。
【００１０】
【発明が解決しようとする課題】
しかるに、従来、自動改札機による磁気情報の書き換え不良とされた定期券に対し、上述したように、定期券発行元では単に、定期券発行装置により、当該定期券の再発行処理を行うようにしているので、種々の問題があった。
【００１１】
まず、自動改札機による磁気情報の書き換え不良とされた定期券であつても、何らかの原因による一時的なもので、その後は正常に磁気情報の書き換えが可能となる場合もある。
【００１２】
また、自動改札機による磁気情報の書き換え不良とされた定期券であつても、単に、自動改札機による磁気情報の書き換えトラックのみを初期化してやれば済む場合もある。
【００１３】
そして、本来は、このように自動改札機による磁気情報の書き換えトラックのみを初期化しただけでは済まない場合に、定期券発行装置により、当該定期券の再発行処理を行うようにしてやればよいにも拘らず、従来の定期券発行装置には、そのようなトラブル対処機能が備えられていないという問題である。
【００１４】
そこで、本発明は以上のような点に鑑みてなされたもので、自動改札機による磁気情報の書き換え不良とされた定期券であつても、それが何らかの原因による一時的なものでその後は正常に磁気情報の書き換えが可能となる場合には当該定期券を異常無として利用者にそのまま返却すると共に、それが単に自動改札機による磁気情報の書き換えトラックのみを初期化してやれば済む場合にはその初期化処理を行って利用者に返却し、それがその初期化処理だけでは済まない場合にのみ当該定期券の再発行処理を行うようにするトラブル対処機能を備えることにより、自動改札機による磁気情報の書き換え不良とされた定期券のトラブル処理を効率的に行えるようにした定期券発行装置及びその制御方法を提供することを目的とする。
【００１５】
【課題を解決するための手段】
本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取る定期券券面情報読み取り手段と、前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化を実行する磁気情報書き換えトラック初期化実行手段と、前記磁気情報書き換えトラック初期化実行手段によって自動改札機による磁気情報の書き換えトラックの初期化が実行された当該定期券を利用者に返却処理する第２の定期券処理手段とを具備することを特徴とする定期券発行装置が提供される。
【００１６】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取る定期券券面情報読み取り手段と、前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化が可能であるか否かを判定する磁気情報書き換えトラック初期化判定手段と、前記磁気情報書き換えトラック初期化判定手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、前記磁気情報書き換えトラック初期化実行手段によって自動改札機による磁気情報の書き換えトラックの初期化が実行された当該定期券を利用者に返却処理する第２の定期券処理手段とを具備することを特徴とする定期券発行装置が提供される。
【００１７】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取る定期券券面情報読み取り手段と、前記定期券券面情報読み取り手段による定期券の券面情報の読み取り結果に応じて、当該定期券の自動改札機による磁気情報の書き換えトラックに異常があるか否かを判定する磁気情報書き換えトラック異常判定手段と、前記磁気情報書き換えトラック異常判定手段によって判定される磁気情報書き換えトラック異常判定結果に基づいて、磁気情報書き換えトラックに異常がなければ、当該定期券を利用者にそのまま返却処理する第１の定期券処理手段と、前記磁気情報書き換えトラック異常判定手段によって判定される磁気情報書き換えトラック異常判定結果に基づいて、磁気情報書き換えトラックに異常があつた場合には、当該定期券の自動改札機による磁気情報の書き換えトラックの初期化が可能であるか否かを判定する磁気情報書き換えトラック初期化判定手段と、前記磁気情報書き換えトラック初期化判定手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、前記磁気情報書き換えトラック初期化実行手段によって自動改札機による磁気情報の書き換えトラックの初期化が実行された当該定期券を利用者に返却処理する第２の定期券処理手段と、前記磁気情報書き換えトラック初期化判定手段による当該定期券の自動改札機による磁気情報の書き換えトラックの初期化が可能であるか否かの判定結果に基づいて、初期化が不能である場合には、当該定期券の再発行処理を行う定期券再発行処理実行手段と、前記定期券再発行処理実行手段によって再発行処理が実行された当該定期券を利用者に返却処理する第３の定期券処理手段とを具備することを特徴とする定期券発行装置が提供される。
【００１８】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取る定期券券面情報読み取り手段と、前記定期券券面情報読み取り手段による定期券の券面情報の読み取り結果に応じて、当該定期券の自動改札機による磁気情報の書き換えトラックに異常があるか否かを判定すると共に、その結果を表示する磁気情報書き換えトラック異常判定表示手段と、前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化を実行する磁気情報書き換えトラック初期化実行手段と、前記磁気情報書き換えトラック初期化実行手段によって自動改札機による磁気情報の書き換えトラックの初期化が実行された当該定期券を利用者に返却処理する第２の定期券処理手段とを具備することを特徴とする定期券発行装置が提供される。
【００１９】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取る定期券券面情報読み取り手段と、前記定期券券面情報読み取り手段による定期券の券面情報の読み取り結果に応じて、当該定期券の自動改札機による磁気情報の書き換えトラックに異常があるか否かを判定すると共に、その結果を表示する磁気情報書き換えトラック異常判定表示手段と、前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示手段と、前記磁気情報書き換えトラック初期化判定表示手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、前記磁気情報書き換えトラック初期化実行手段によって自動改札機による磁気情報の書き換えトラックの初期化が実行された当該定期券を利用者に返却処理する第２の定期券処理手段とを具備することを特徴とする定期券発行装置が提供される。
【００２０】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取る定期券券面情報読み取り手段と、前記定期券券面情報読み取り手段による定期券の券面情報の読み取り結果に応じて、当該定期券の自動改札機による磁気情報の書き換えトラックに異常があるか否かを判定すると共に、その判定結果を表示する磁気情報書き換えトラック異常判定表示手段と、前記磁気情報書き換えトラック異常判定表示手段によって判定表示される磁気情報書き換えトラック異常判定結果に基づいて、磁気情報書き換えトラックに異常がなければ、当該定期券を利用者にそのまま返却処理する第１の定期券処理手段と、前記磁気情報書き換えトラック異常判定表示手段によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示手段と、前記磁気情報書き換えトラック初期化判定表示手段による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行手段と、前記磁気情報書き換えトラック初期化実行手段によって自動改札機による磁気情報の書き換えトラックの初期化が実行された当該定期券を利用者に返却処理する第２の定期券処理手段と、前記磁気情報書き換えトラック初期化判定表示手段による当該定期券の自動改札機による磁気情報の書き換えトラックの初期化が可能であるか否かの判定結果に基づいて、初期化が不能である場合には、当該定期券の再発行処理を行う定期券再発行処理実行手段と、前記定期券再発行処理実行手段によって再発行処理が実行された当該定期券を利用者に返却処理する第３の定期券処理手段とを具備することを特徴とする定期券発行装置が提供される。
【００２１】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取るステップと、前記定期券の券面情報の読み取り結果に応じて、当該定期券の自動改札機による磁気情報の書き換えトラックに異常があるか否かを判定するステップと、前記磁気情報書き換えトラック異常判定結果に基づいて、磁気情報書き換えトラックに異常がなければ、当該定期券を利用者にそのまま返却処理するステップと、前記磁気情報書き換えトラック異常判定結果に基づいて、磁気情報書き換えトラックに異常があつた場合には、当該定期券の自動改札機による磁気情報の書き換えトラックの初期化を実行するステップと、前記自動改札機による磁気情報の書き換えトラックの初期化が実行された当該定期券を利用者に返却処理するステップとを具備することを特徴とする定期券発行装置の制御方法が提供される。
【００２２】
また、本発明によると、上記課題を解決するために、発駅と着駅を指示する指示手段と、この指示手段により指示された発駅と着駅までの区間の定期乗車とを許可すると共に、自動改札機による磁気情報の書き換えトラックを有する定期券を発行する発行手段とから構成されている定期券発行装置において、前記自動改札機による磁気情報の書き換え不良とされた定期券の券面情報を読み取るステップと、前記定期券の券面情報の読み取り結果に応じて、当該定期券の自動改札機による磁気情報の書き換えトラックに異常があるか否かを判定するステップと、前記磁気情報書き換えトラック異常判定結果に基づいて、磁気情報書き換えトラックに異常がなければ、当該定期券を利用者にそのまま返却処理するステップと、前記磁気情報書き換えトラック異常判定結果に基づいて、磁気情報書き換えトラックに異常があつた場合には、当該定期券の自動改札機による磁気情報の書き換えトラックの初期化が可能であるか否かを判定するステップと、前記定期券の自動改札機による磁気情報の書き換えトラックの初期化が可能であるか否かの判定結果に基づいて、初期化が可能である場合には、当該定期券の自動改札機による磁気情報の書き換えトラックの初期化を実行するステップと、前記定期券の自動改札機による磁気情報の書き換えトラックの初期化が実行された当該定期券を利用者に返却処理するステップとを具備することを特徴とする定期券発行装置の制御方法が提供される。
【００２７】
【発明の実施の形態】
以下、この発明による定期券発行装置が適用される実施の形態について図面を参照して説明する。
【００２８】
図１、図２はこの発明の実施の形態による定期券発行装置１の外観を示すもので、図１は正面からの図であり、図２は上面からの図である。
【００２９】
この定期券発行装置１には、定期券購入情報の一部が入力される条件設定操作部２、複数の発駅と着駅を設定するための駅名釦と経由を設定するための経由釦と分割駅を設定する分割駅釦が縦方向、横方向に配列表示されたタッチパネル内蔵のカラー液晶表示部（ＬＣＤ）によって構成される経由発着駅設定部３、４、入力手順あるいは上記条件設定操作部２、経由発着駅設定部３、４により入力された発行情報やエラー内容等を表示するカラー液晶表示部（ＬＣＤ）によって構成される表示部５、発行日付を表示する発行日付表示部６、購入客により購入情報が書かれた申込用紙が挿入される申込用紙挿入口７、定期券が発行される定期券発行口８、旧券、手差し券挿入口９及び自動改札装置書き換えトラック初期化釦１０が設けられている。
【００３０】
条件設定操作部２には、発行処理の開始を指示するスタートキー１１、テンキー１２、自線分割を指示する自線分割キー１３、２線分割を指示する２線分割キー１４、３線分割を指示する３線分割キー１５が設けられている。
【００３１】
次に、上記定期券発行装置１の制御回路を図３を用いて説明する。
【００３２】
まず、上記定期券発行装置１の全体を制御する制御部としてのＣＰＵ２０が設けられている。
【００３３】
このＣＰＵ２０には、制御プログラムや文字パターン等が記憶されているとともに、種々のデータが記憶されるメモリ２１、上記申込用紙挿入口７に対応して設けられている氏名読取部２２と氏名転写部２３、定期券発行口８と旧券、手差し券挿入口９に対応して設けられている定期券発行部２４、売上データ等をジャーナル（図示しない）に印刷するジャーナルプリンタ２５、定期券発行に関する種々の情報たとえば売上データあるいは運賃データ等が記憶されている磁気ディスク２８を扱う磁気ディスク装置２６、図示しない通信回線を介してホストコンピュータ等の外部装置と接続される通信制御部２７、上記条件設定操作部２、経由発着駅設定部３、４、および表示部５が接続されている。
【００３４】
上記氏名転写部２３は、ＣＣＤ等により構成され、申込用紙挿入口７から挿入される申込用紙上の（購入者による自筆の）氏名を読取り、画素データ（イメージパターンデータ）に変換するものである。
【００３５】
磁気ディスク２８には、乗車距離に応じた通常区間の定期運賃が記憶されている通常区間定期運賃テーブル２８ａと、図４に示すような、特定区間の定期運賃が記憶されている特定区間定期運賃テーブル２８ｂとを有している。
【００３６】
上記定期券発行部２４は、定期券用紙の購入情報に対応した印刷データや旧券、手差し券挿入口９から挿入された旧券に対応した印刷データを印刷したり磁気情報を記録し、この新規な定期券を定期券発行口８から発行するものである。
【００３７】
次に、このような構成において、定期券の発行動作を、図５、図６に示すフローチャートを参照しつつ説明する。
【００３８】
すなわち、申込用紙による定期券の購入申込みにより、係員は、経由発着駅設定部３、４により発駅（Ａ駅）、着駅（Ｂ駅）（利用区間）を入力する（ステップＳＴ１、ＳＴ２）。
【００３９】
この利用区間が自社線内みのの場合、ＣＰＵ２０は経由の候補を経由発着駅設定部３、４により案内表示する（ステップＳＴ３、ＳＴ４）。
【００４０】
この案内により係員は、経由を入力する（ステップＳＴ５）。
【００４１】
この際、入力された発駅、着駅、経由に対応する駅名釦部は表示色が変更される如くした可変表示装置となっている。
【００４２】
また、上記ステップＳＴ３により利用区間が他社線を含んでいると判断した際、ＣＰＵ２０は自社線の連絡駅の候補を経由発着駅設定部３、４により案内表示する（ＳＴ６）。
【００４３】
この案内により係員は、連絡駅を入力する（ステップＳＴ７）。
【００４４】
この際、入力された連絡駅に対応する駅名釦部は表示色が変更される如くした可変表示装置となっている。
【００４５】
この連絡駅の入力により、ＣＰＵ２０はさらに利用区間が他社線を含んでいるか否かを判断する（ステップＳＴ８）。
【００４６】
これにより、さらなる他社線を含んでいない場合、２線連絡と判断し、ＣＰＵ２０はまず自社線の経由の候補を経由発着駅設定部３、４により案内表示する  （ステップＳＴ９）。
【００４７】
この案内により係員は、自線の経由を入力する（ステップＳＴ１０）。
【００４８】
ついで、ＣＰＵ２０は他社線の経由の候補を経由発着駅設定部３、４により案内表示する（ステップＳＴ１１）。
【００４９】
この案内により係員は、他社線の経由を入力する（ステップＳＴ１２）。
【００５０】
また、上記ステップＳＴ８によりさらに他社線を含んでいると判断した場合、３線目の連絡駅の候補を経由発着駅設定部３、４により案内表示する（ステップＳＴ１３）。
【００５１】
この案内により係員は、連絡駅を入力する（ステップＳＴ１４）。
【００５２】
この連絡駅の入力により、ＣＰＵ２０はまず自社線の経由の候補を経由発着駅設定部３、４により案内表示する（ステップＳＴ１５）。
【００５３】
この案内により係員は、自社線の経由を入力する（ステップＳＴ１６）。
【００５４】
ついで、ＣＰＵ２０は２線目の経由の候補を経由発着駅設定部３、４により案内表示する（ステップＳＴ１７）。
【００５５】
この案内により係員は、２線目の経由を入力する（ステップＳＴ１８）。
【００５６】
さらに、ＣＰＵ２０は３線目の経由の候補を経由発着駅設定部３、４により案内表示する（ステップＳＴ１９）。
【００５７】
この案内により係員は、３線目の経由を入力する（ステップＳＴ２０）。
【００５８】
ついで、係員は発着駅と経由以外の購入申込み内容に基づく所定のデータ（たとえば、通用箇月、性別、年齢、発行年月日等の購入情報）を条件設定操作部２を用いて入力する（ステップＳＴ２１）。
【００５９】
また、係員は申込用紙を申込用紙挿入口７に挿入し、氏名読取部２２により申込用紙に記載された氏名の読取処理を行う（ステップＳＴ２２）。
【００６０】
すると、ＣＰＵ２０は上記入力データに応じた発行内容と料金等を表示部５で表示する（ステップＳＴ２３）。
【００６１】
また、ＣＰＵ２０は上記入力データに基づきメモリ２１から文字パターンを読出し、この文字パターンと氏名転写部２３によって読取った購入客による自筆の氏名に対応する画素データとにより、対応する定期券の表面の印刷データを編集作成し、表示部５で表示する。
【００６２】
この際、印刷データが用意される（ステップＳＴ２４）。
【００６３】
そして、上記表示部５に表示された発行内容が満足するものであった場合、係員はスタートキー１１を投入する（ステップＳＴ２５）。
【００６４】
すると、ＣＰＵ２０は定期券発行部２４を制御し、上記発行内容を磁気記録するとともに、購入者の氏名のイメージパターンデータに基づいた氏名転写と、購入内容を印刷して定期券発行口８から発行する（ステップＳＴ２６）。
【００６５】
この場合、通常の定期は、図７に示すように、印刷される。
【００６６】
また、ＣＰＵ２０は、上記取引結果を磁気ディスク装置２６により磁気ディスクに記憶するとともに、ジャーナルに印字する。
【００６７】
この結果、係員は購入客から表示部５に表示されている定期券料金を受取り
、発行された定期券を購入客に渡す。
【００６８】
次に、以上のような定期券発行装置において、自動改札機による磁気情報の書き換え不良とされた定期券であつても、それが何らかの原因による一時的なものでその後は正常に磁気情報の書き換えが可能となる場合には当該定期券を異常無として利用者にそのまま返却すると共に、それが単に自動改札機による磁気情報の書き換えトラックのみを初期化してやれば済む場合にはその初期化処理を行って利用者に返却し、それがその初期化処理だけでは済まない場合にのみ当該定期券の再発行処理を行うようにするトラブル対処機能を備えることにより、自動改札機による磁気情報の書き換え不良とされた定期券のトラブル処理を効率的に行えるようにした定期券発行装置の要部について説明する。
【００６９】
図８は、本発明に係る定期券発行装置の要部について説明するための機能ブロック図である。
【００７０】
すなわち、本発明では、上述したような、発駅と着駅を指示する指示手段、この指示手段により指示された発駅と着駅までの区間の定期乗車とを許可すると共に、自動改札機による磁気情報の書き換えトラックを有する定期券を発行する発行手段とから構成されている定期券発行装置において、図８に示すように、前記自動改札機による磁気情報の書き換え不良とされた定期券の券面情報を読み取る定期券券面情報読み取り部１０１が設けられる。
【００７１】
また、前記定期券券面情報読み取り部１０１による定期券の券面情報の読み取り結果に応じて、当該定期券の自動改札機による磁気情報の書き換えトラックに異常があるか否かを判定すると共に、その判定結果を表示する磁気情報書き換えトラック異常判定表示部１０２が設けられる。
【００７２】
この場合、前記磁気情報書き換えトラック異常判定表示部１０２によって判定表示される磁気情報書き換えトラック異常判定結果に基づいて、磁気情報書き換えトラックに異常がなければ、自動改札機による磁気情報の書き換え不良とされた定期券であつても、それが何らかの原因による一時的なものでその後は正常に磁気情報の書き換えが可能であるとして当該定期券を利用者にそのまま返却処理する第１の定期券処理部１０３が設けられる。
【００７３】
また、前記磁気情報書き換えトラック異常判定表示部１０２によって判定表示される磁気情報書き換えトラック異常判定結果に基づいて、磁気情報書き換えトラックに異常があつた場合には、当該定期券の自動改札機による磁気情報の書き換えトラックの初期化が可能であるか否かを判定すると共に、その判定結果を表示する磁気情報書き換えトラック初期化判定表示部１０４が設けられる。
【００７４】
また、前記磁気情報書き換えトラック初期化判定表示部１０４による当該定期券の自動改札機による磁気情報の書き換えトラックの初期化が可能であるか否かの判定結果に基づいて、初期化が可能である場合には、当該定期券の自動改札機による磁気情報の書き換えトラックの初期化を実行する磁気情報書き換えトラック初期化実行部１０５が設けられる。
【００７５】
また、前記磁気情報書き換えトラック初期化実行部１０５によって自動改札機による磁気情報の書き換えトラックの初期化が実行された当該定期券を利用者に返却処理する第２の定期券処理部１０６が設けられる。
【００７６】
また、前記磁気情報書き換えトラック初期化判定表示部１０４による当該定期券の自動改札機による磁気情報の書き換えトラックの初期化が可能であるか否かの判定結果に基づいて、初期化が不能である場合には、当該定期券の再発行処理を行う定期券再発行処理実行部１０７が設けられる。
【００７７】
また、前記定期券再発行処理実行部１０７によって再発行処理が実行された当該定期券を利用者に返却処理する第３の定期券処理部１０８が設けられる。
【００７８】
すなわち、本発明に係る定期券発行装置においては、自動改札機による磁気情報の書き換え不良とされた定期券であつても、それが何らかの原因による一時的なものでその後は正常に磁気情報の書き換えが可能となる場合には当該定期券を異常無として利用者にそのまま返却すると共に、それが単に自動改札機による磁気情報の書き換えトラックのみを初期化してやれば済む場合にはその初期化処理を行って利用者に返却し、それがその初期化処理だけでは済まない場合にのみ当該定期券の再発行処理を行うようにするトラブル対処機能を備えることにより、自動改札機による磁気情報の書き換え不良とされた定期券のトラブル処理を効率的に行うことを可能とする。
【００７９】
まず、概要として、本発明に係る定期券発行装置においては、
（１）．旧券リーダの機能として、当該定期券の自動改札機による磁気情報の書き換えトラックのみを初期化する機能を持たせる。
（２）．定期券発行装置の操作部例えば駅名設定釦部に、自動改札機磁気情報書き換えトラック初期化釦を設ける。
（３）．旧券リーダで、自動改札機による磁気情報の書き換え不良とされた定期券を一旦読みとつて、異常がなければ、表示部に異常なしを表示し、当該定期券を利用者にそのまま返却する。
（４）．旧券リーダで、自動改札機による磁気情報の書き換え不良とされた定期券を一旦読みとつて、異常があれば、表示部に異常ありを表示し、当該定期券の自動改札機による磁気情報の書き換えトラックの初期化が可能であれば、その初期化を行ってから当該定期券を利用者に返却する。
（５）．旧券リーダで、自動改札機による磁気情報の書き換え不良とされた定期券を一旦読みとつて、異常があれば、表示部に異常ありを表示し、当該定期券の自動改札機による磁気情報の書き換えトラックの初期化が不能であれば、当該定期券の再発行処理を行ってから当該定期券を利用者に返却する。
【００８０】
図９は、以上のような概要に基づく本発明に係る定期券発行装置の要部について説明するためのフローチャートである。
【００８１】
はじめに、ステップＳＴ１０１では、旧券、手差し券挿入口９から挿入された旧券としての自動改札機による磁気情報の書き換え不良とされた定期券の券面情報を読み取りが旧券リーダとして機能する定期券券面情報読み取り部１０１によって行われる。
【００８２】
また、ステップＳＴ１０２では、前記定期券券面情報読み取り部１０１による定期券の券面情報の読み取り結果に応じて、当該定期券の自動改札機による磁気情報の書き換えトラックに異常があるか否かの判定及び表示部２，３または５のいずれかへのその判定結果の表示が磁気情報書き換えトラック異常判定表示部１０２によって行われる。
【００８３】
また、ステップＳＴ１０３では、前記磁気情報書き換えトラック異常判定表示部１０２によって判定表示される磁気情報書き換えトラック異常判定結果に基づいて、磁気情報書き換えトラックに異常がなければ、自動改札機による磁気情報の書き換え不良とされた定期券であつても、それが何らかの原因による一時的なものでその後は正常に磁気情報の書き換えが可能であるとして当該定期券を利用者にそのまま返却する処理が第１の定期券処理部１０３によって行われる。
【００８４】
また、ステップＳＴ１０４では、前記磁気情報書き換えトラック異常判定表示部１０２によって判定表示される磁気情報書き換えトラック異常判定結果に基づいて、磁気情報書き換えトラックに異常があつた場合には、磁気情報書き換えトラック初期化判定表示部１０４によって、当該定期券の自動改札機による磁気情報の書き換えトラックの初期化が可能であるか否かが判定されると共に、その判定結果が表示される。
【００８５】
また、ステップＳＴ１０５では、前記磁気情報書き換えトラック初期化判定表示部１０４による当該定期券の自動改札機による磁気情報の書き換えトラックの初期化が可能であるか否かの判定に基づいて、初期化が可能である場合には、磁気情報書き換えトラック初期化実行部１０５によって当該定期券の自動改札機による磁気情報の書き換えトラックの初期化が実行される。
【００８６】
また、ステップＳＴ１０６では、前記磁気情報書き換えトラック初期化実行部１０５によって自動改札機による磁気情報の書き換えトラックの初期化が実行された当該定期券を利用者に返却する処理が第２の定期券処理部１０６によって行われる。
【００８７】
また、ステップＳＴ１０７では、前記磁気情報書き換えトラック初期化判定表示部１０４による当該定期券の自動改札機による磁気情報の書き換えトラックの初期化が可能であるか否かの判定に基づいて、初期化が不能である場合には、定期券再発行処理実行部１０７によって当該定期券の再発行処理が行われる。
【００８８】
また、ステップＳＴ１０８では、前記定期券再発行処理実行部１０７によって再発行処理が実行された当該定期券を利用者に返却する処理が第３の定期券処理部１０８によって行われる。
【００８９】
図１０は、以上におけるステップＳＴ１０５の定期券の自動改札機による磁気情報書き換えトラック（以下Ｂ，Ｇトラックと記す）初期化についてさらに詳しく説明するためのフローチャートである。
【００９０】
はじめに、ステップＳＴ２０１では、前記磁気情報書き換えトラック初期化判定表示部１０４による当該定期券の自動改札機による磁気情報の書き換えトラックの初期化が可能であるか否かの判定に基づいて、初期化が可能である場合には、自動改札装置書き換えトラック初期化釦１０を操作する。
【００９１】
次に、ステップＳＴ２０２では、先に旧券、手差し券挿入口９から挿入された旧券としての自動改札機による磁気情報の書き換え不良とされた定期券すなわち前記磁気情報書き換えトラック異常判定表示部１０２によって判定表示される磁気情報書き換えトラック異常判定結果に基づいて、磁気情報書き換えトラックに異常があつたと判定された定期券を旧券、手差し券挿入口９から再挿入するか既に挿入されている場合にはそれを内部に保留する。
【００９２】
次に、ステップＳＴ２０３では、スタートキー１１が操作されることにより、、係員（表示部）モニタに図１１に示すようなＢ，Ｇトラック初期化画面を表示すると共に、磁気情報書き換えトラック初期化実行部１０５によって当該定期券の自動改札機による磁気情報の書き換えトラックの初期化が実行される。
【００９３】
次に、ステップＳＴ２０４では、前記磁気情報書き換えトラック初期化実行部１０５によって自動改札機による磁気情報の書き換えトラックの初期化が実行された当該定期券を利用者に返却する処理が第２の定期券処理部１０６によって行われる。
【００９４】
【発明の効果】
以上のようにして、本発明によれば、自動改札機による磁気情報の書き換え不良とされた定期券であつても、それが何らかの原因による一時的なものでその後は正常に磁気情報の書き換えが可能となる場合には当該定期券を異常無として利用者にそのまま返却すると共に、それが単に自動改札機による磁気情報の書き換えトラックのみを初期化してやれば済む場合にはその初期化処理を行って利用者に返却し、それがその初期化処理だけでは済まない場合にのみ当該定期券の再発行処理を行うようにするトラブル対処機能を備えることにより、自動改札機による磁気情報の書き換え不良とされた定期券のトラブル処理を効率的に行えるようにした定期券発行装置及びその制御方法を提供することができる。
【図面の簡単な説明】
【図１】この発明の実施の形態における定期券発行装置の外観を示す正面図。
【図２】定期券発行装置の外観を示す上面図。
【図３】定期券発行装置の制御回路の要部を示すブロック図。
【図４】特定区間定期運賃テーブルの記憶例を示す図。
【図５】定期券の発行動作を説明するためのフローチャート。
【図６】定期券の発行動作を説明するためのフローチャート。
【図７】通常の定期の印刷例を示す図。
【図８】本発明に係る定期券発行装置の要部を説明するための機能ブロック図。
【図９】本発明に係る定期券発行装置の要部の動作を説明するためのフローチャート。
【図１０】本発明に係る定期券発行装置の要部による自動改札機磁気情報書き換えトラック初期化の動作を説明するためのフローチャート。
【図１１】本発明に係る定期券発行装置の要部による自動改札機磁気情報書き換えトラック初期化画面を例示する図。
【符号の説明】
１…定期券発行装置、
２…条件設定操作部、
３、４…経由発着駅設定部、
５…表示部、
１１…スタートキー、
２０…ＣＰＵ、
１０…自動改札装置書き換えトラック初期化釦、
１０１…定期券券面情報読み取り部、
１２…磁気情報書き換えトラック異常判定表示部、
１０３…第１の定期券処理部、
１０４…磁気情報書き換えトラック初期化判定表示部、
１０５…磁気情報書き換えトラック初期化実行部、
１０６…第２の定期券処理部、
１０７…定期券再発行処理実行部、
１０８…第３の定期券処理部。
【図１】
0003808606.tif 000002
【図２】
0003808606.tif 000003
【図３】
0003808606.tif 000004
【図４】
0003808606.tif 000005
【図５】
0003808606.tif 000006
【図６】
0003808606.tif 000007
【図７】
0003808606.tif 000008
【図８】
0003808606.tif 000009
【図９】
0003808606.tif 000010
【図１０】
0003808606.tif 000011
【図１１】
0003808606.tif 000012